(57)【要約】【課題】プレビュー画像を作成しなくても、ユーザが原稿の読取対象面を見ながら読み取りのための範囲指定をすることができ、且つ、ユーザの所望の範囲の画像データを生成することができる読取装置を提供すること。【解決手段】ＭＦＰ１によれば、プレビュー画像を作成しなくても、ユーザは読取対象面を見ながら選択範囲１９を設定できる。すなわち、原稿カバー８を開状態とし、載置面に載置された原稿Ｐの読取対象面を見ながら、Ｘ方向およびＹ方向について選択範囲指定操作を行うことにより、選択範囲１９を設定できるので、作業が容易である。【選択図】図３
2011160202.tif 000002
【特許請求の範囲】
【請求項１】
原稿が載置される載置面を備え、前記載置面の裏面側から前記原稿に光を照射し前記原稿からの反射光を受光して光電変換することにより、前記原稿の面のうち前記載置面に伏せられた面を読み取る読取装置において、
読取対象面を表に向けて前記原稿が前記載置面に載置されている状態において、所定の範囲指定操作が行われる場合、その範囲指定操作に基づく前記読取対象面内の選択範囲を設定する選択範囲設定手段と、
前記載置面上において前記原稿を反転させることにより前記読取対象面が前記載置面に伏せられる場合に、前記選択範囲が対向することになる前記載置面上の読取範囲を決定する読取範囲決定手段と、
前記載置面に伏せられた前記読取対象面のうち、前記読取範囲決定手段により決定される前記読取範囲に対向する範囲の画像データを生成する部分画像データ生成手段とを備える読取装置。
【請求項２】
前記載置面を覆うカバーと、
前記カバーの閉状態において前記カバーに覆われ、前記カバーの開状態において入力媒体により操作可能なタッチパネルと、
前記タッチパネルにより検出される操作位置に対応した前記載置面内の位置を表す座標情報を取得する座標情報取得手段とを備え、
前記選択範囲設定手段は、前記タッチパネル内にて前記範囲指定操作が行われる場合に、前記座標情報取得手段により取得される前記座標情報に基づき、前記選択範囲を表す複数の座標情報を取得するものである請求項１記載の読取装置。
【請求項３】
前記読取範囲決定手段は、前記選択範囲設定手段により取得された前記複数の座標情報を変換することにより、前記読取範囲を表す座標情報を取得するものである請求項２記載の読取装置。
【請求項４】
前記タッチパネル内にて行われる出力範囲指定操作に基づき、出力画像の出力範囲を決定する出力範囲決定手段と、
前記出力範囲決定手段により決定される出力範囲と、前記選択範囲設定手段により設定される選択範囲の大きさとを比較し、倍率を設定する倍率設定手段と、
前記部分画像データ生成手段により生成された前記画像データを、前記倍率設定手段により設定された倍率で拡大又は縮小し、記録媒体へ印刷出力する印刷手段とを備える請求項２または３に記載の読取装置。
【請求項５】
前記タッチパネルにおける前記入力媒体の操作に変化がない場合、前記座標情報取得手段により取得される前記座標情報を破棄する破棄手段を備える請求項２から４のいずれかに記載の読取装置。
【請求項６】
前記原稿の反転方向を取得する方向取得手段を備え、
前記読取範囲決定手段は、前記方向取得手段により取得される前記反転方向で前記載置面上の前記原稿を反転させる場合において、前記選択範囲が対向することになる前記読取範囲を決定するものである請求項１から５のいずれかに記載の読取装置。
【請求項７】
前記原稿のサイズを表すサイズ情報を取得するサイズ取得手段を備え、
前記読取範囲決定手段は、前記サイズ取得手段により取得されるサイズ情報が表すサイズの前記原稿を、前記載置面上で反転させる場合において、前記選択範囲が対向することになる前記読取範囲を決定するものである請求項１から６のいずれかに記載の読取装置。
【請求項８】
前記選択範囲設定手段は、前記範囲指定操作が複数回行われた場合、その複数回の範囲指定操作により指定される前記読取対象面内の位置の全てを含む範囲を、前記選択範囲として設定するものである請求項１から７のいずれかに記載の読取装置。
【発明の詳細な説明】
【技術分野】
【０００１】
本発明は、読取装置に関するものである。
【背景技術】
【０００２】
従来、読取装置において、プレビュー画像を表示し、ユーザがプレビュー画像を見ながら、読取範囲を指定できるように構成されたものが知られている。
【先行技術文献】
【特許文献】
【０００３】
【特許文献１】特開平８−１０７４９５号公報
【発明の概要】
【発明が解決しようとする課題】
【０００４】
しかしながら、プレビュー画像を表示するためには、原稿全体を読み取る必要があるため、作業に時間がかかるという問題点があった。また、読取装置の操作パネルに設けられる表示部は大画面ではない場合が多いので、操作パネルの表示部にプレビュー画像を表示する場合、ユーザにとって操作性が悪いという問題点があった。また、パーソナルコンピュータにてプレビュー画像を表示する場合は、パーソナルコンピュータを起動しなければならず、作業に時間がかかるという問題点があった。
【０００５】
本発明は、上述した問題点を解決するためになされたものであり、プレビュー画像を作成しなくても、ユーザが原稿の読取対象面を見ながら、読み取りのための範囲指定をすることができ、且つ、ユーザの所望の範囲の画像データを生成することができる読取装置を提供することを目的としている。
【課題を解決するための手段】
【０００６】
この目的を達成するために、本発明の読取装置は、原稿が載置される載置面を備え、前記載置面の裏面側から前記原稿に光を照射し前記原稿からの反射光を受光して光電変換することにより、前記原稿の面のうち前記載置面に伏せられた面を読み取るものであって、読取対象面を表に向けて前記原稿が前記載置面に載置されている状態において、所定の範囲指定操作が行われる場合、その範囲指定操作に基づく前記読取対象面内の選択範囲を設定する選択範囲設定手段と、前記載置面上において前記原稿を反転させることにより前記読取対象面が前記載置面に伏せられる場合に、前記選択範囲が対向することになる前記載置面上の読取範囲を決定する読取範囲決定手段と、前記載置面に伏せられた前記読取対象面のうち、前記読取範囲決定手段により決定される前記読取範囲に対向する範囲の画像データを生成する部分画像データ生成手段とを備える。
なお、「読取対象面を表に向けて原稿が載置面に載置されている状態」とは、すなわち、「読取対象面の裏面を載置面に対向させて原稿が載置面に載置されている状態」を意味している。
【０００７】
なお、本発明は、読取装置、該読取装置を制御する制御装置、読取方法、読取装置を制御する制御プログラム、該制御プログラムを記録する記録媒体等の種々の態様で構成することができる。
【発明の効果】
【０００８】
請求項１記載の読取装置によれば、プレビュー画像を作成しなくても、ユーザは原稿の読取対象面を見ながら選択範囲を指定できるという効果がある。そして、前記読取対象面が前記載置面に伏せられる場合に前記選択範囲が対向することになる前記載置面上の読取範囲が決定され、その決定された読取範囲に対向する範囲の画像データが生成される。よって、ユーザの所望の範囲の画像データを生成することができるという効果がある。
【０００９】
請求項２記載の読取装置によれば、請求項１記載の読取装置の奏する効果に加え、カバーを開状態とし、載置面に載置された原稿の読取対象面を見ながら、タッチパネル内にて範囲指定操作を行うことにより、選択範囲を指定することができるので、作業が容易であるという効果がある。
【００１０】
請求項３記載の読取装置によれば、請求項２記載の読取装置の奏する効果に加え、選択範囲を表す複数の座標情報を変換することにより、読取範囲を表す座標情報が取得されるので、簡単かつ正確に読取範囲の座標情報を取得することができるという効果がある。
【００１１】
請求項４記載の読取装置によれば、請求項２または３に記載の読取装置の奏する効果に加え、タッチパネル内にて行われる出力範囲指定操作に基づき、印刷出力のための倍率を決定できるという効果がある。
【００１２】
請求項５記載の読取装置によれば、請求項２から４のいずれかに記載の読取装置の奏する効果に加え、操作の意図なく、入力媒体がタッチパネルに触れた場合、例えば、原稿を押さえようとしたユーザの指がタッチパネルに触れた場合において、その座標情報を破棄できるという効果がある。
【００１３】
請求項６記載の読取装置によれば、請求項１から５のいずれかに記載の読取装置の奏する効果に加え、反転方向に基づいて読取範囲が決定されるので、正確な読取範囲を決定できるという効果がある。
【００１４】
請求項７記載の読取装置によれば、請求項１から６のいずれかに記載の読取装置の奏する効果に加え、原稿のサイズを表すサイズ情報に基づいて読取範囲が決定されるので、正確な読取範囲を決定できるという効果がある。
【００１５】
請求項８記載の読取装置によれば、請求項１から７のいずれかに記載の読取装置の奏する効果に加え、範囲指定操作が複数回行われた場合であっても、適切な選択範囲を指定できるという効果がある。
【図面の簡単な説明】
【００１６】
【図１】（ａ）は、本発明の読取装置の第１実施形態であるＭＦＰの外観構成を示す斜視図であり、（ｂ）は、原稿カバーが開けられた状態のＭＦＰの外観構成を示す斜視図である。
【図２】（ａ）は、原稿カバーを開けて、原稿読取台を上から見た状態を示す図であり、（ｂ）は、原稿読取台の内部構成を模式的に示す図であり、（ｃ）は、原稿読取台の断面を模式的に示す断面図である。
【図３】ＭＦＰが実行するトリミングコピー処理を説明する図である。
【図４】選択範囲と読取範囲との関係を説明する図である。
【図５】ＭＦＰの電気的構成を模式的に示したブロック図である。
【図６】第１実施形態のＭＦＰが実行するコピー前操作受付処理を示すフローチャートである。
【図７】第１実施形態のＭＦＰが実行するトリミングコピー処理を示すフローチャートである。
【図８】（ａ）は、第２実施形態のＭＦＰにおけるトリミングコピー処理のための操作手順を説明する図であり、（ｂ）は、選択範囲指定操作が複数回行われた場合に設定される選択範囲の例を示す図である。
【図９】第２実施形態のＭＦＰのＣＰＵが実行するコピー前操作受付処理を示すフローチャートである。
【図１０】第２実施形態のＭＦＰのＣＰＵが実行するトリミングコピー処理を示すフローチャートである。
【発明を実施するための形態】
【００１７】
以下、本発明の好ましい実施形態について、添付図面を参照して説明する。図１（ａ）は、本発明の読取装置の第１実施形態である多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示す斜視図であり、図１（ｂ）は、原稿カバー８が開けられた状態のＭＦＰ１の外観構成を示す斜視図である。
【００１８】
ＭＦＰ１は、プリンタ２とスキャナ３とを一体的に備え、スキャナ機能、コピー機能、ファクシミリ機能、プリンタ機能など複数の機能を実現する。特に、本実施形態のＭＦＰ１は、原稿読み取りの際にプレビュー画像を作成しなくても、ユーザが原稿の読取対象面を見ながら原稿読み取りのための範囲指定をできるように構成されたものである。
【００１９】
操作パネル４は、ＭＦＰ１を操作するためのものであり、各種操作キー４０と液晶ディスプレイ（ＬＣＤ：Ｌｉｑｕｉｄ  Ｃｒｙｓｔａｌ  Ｄｉｓｐｌａｙ）４１とを具備する。ユーザは、操作パネル４を用いて、ＭＦＰ１に所望の指令を入力することができる。
【００２０】
原稿読取台６は、その上面が大きく開口されており、その開口部には透明な板状のプラテンガラス１２が嵌め込まれている。このプラテンガラス１２は、Ａ３サイズの出力用紙を載置可能なように、Ａ３のサイズの出力用紙よりも若干大きく構成されている。以下の説明では、ＭＦＰ１の手前から見て、プラテンガラス１２の左手奥の頂点を、基準点１３と称する。ＭＦＰ１をフラッドベッドスキャナとして使用する場合、ユーザは、基準点１３に原稿の頂点を合わせて、プラテンガラス１２上に原稿を載置する。
【００２１】
原稿カバー８は、図１（ａ）に示す閉状態において原稿読取台６の上面を覆うものであり、背面側の蝶番１１(図１（ｂ）)を介して開閉自在に取り付けられている。ユーザは、原稿カバー８を開けて、プラテンガラス１２上に原稿を載置した後、原稿カバー８を閉じることにより、プラテンガラス１２上に読み取り対象の原稿を固定する。
【００２２】
図２（ａ）は、原稿カバー８を開けて、原稿Ｐが載置された原稿読取台６を上から見た状態を模式的に示す図である。図２（ａ）に示すよう、原稿読取台６の上面においてプラテンガラス１２の外側には、タッチパネル１４，１５が設けられる。タッチパネル１４，１５は、ユーザの指などの入力媒体により操作されると、その操作位置に対応した座標情報を出力する静電容量方式のタッチパネルである。
【００２３】
ここで、座標情報とは、プラテンガラス上１２の基準点１３を原点とし、プラテンガラス１２の長手方向をＸ方向、Ｘ方向に直交する方向をＹ方向とする直交座標系に基づき、プラテンガラス１２上の各位置を表すＸ座標とＹ座標とを意味している。
【００２４】
タッチパネル１４は、プラテンガラス１２の長辺に隣接させてＸ方向に設けられ、入力媒体により操作されると、プラテンガラス１２のＸ方向位置を表すＸ座標を出力する。タッチパネル１５は、プラテンガラス１２の短辺に隣接させてＹ方向に設けられ、入力媒体により操作されると、プラテンガラス１２のＹ方向位置を表すＹ座標を出力する。
【００２５】
このタッチパネル１４，１５は、原稿カバー８の閉状態において原稿カバー８に覆われるが、原稿カバー８の開状態においてユーザの指などの入力媒体により操作可能である。詳細は、図３を参照して説明するが、ユーザは、原稿カバー８の開状態において、このタッチパネル１４，１５を操作することにより、原稿の読取対象面を見ながら範囲指定を行うことができる。
【００２６】
図２（ｂ）は、原稿読取台６の内部構成を模式的に示す図であって，図２（ｃ）は、原稿読取台６の断面を模式的に示す断面図である。図２（ｂ），図２（ｃ）に示すように、プラテンガラス１２下には、読取ユニット９と、読取ユニット９を搬送する搬送機構１６と、搬送機構１６を駆動するモータ１７とが設けられる。
【００２７】
読取ユニット９は、プラテンガラス１２のＹ方向を主走査方向とするラインイメージセンサを備えたものであり、プラテンガラス１２の裏面側から原稿Ｐに光を照射し原稿Ｐからの反射光を受光して光電変換することにより、プラテンガラス１２に伏せられた原稿Ｐの面（読取対象面）を読み取る。ラインイメージセンサとしては、密着型のＣＩＳ（Ｃｏｎｔａｃｔ  Ｉｍａｇｅ  Ｓｅｎｓｏｒ）、或いは、縮小光学系のＣＣＤ（Ｃｈａｒｇｅ  Ｃｏｕｐｌｅｄ  Ｄｅｖｉｃｅ）や、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ：相補型金属酸化膜半導体）などを適用することができる。
【００２８】
このように構成されたスキャナ３によれば、モータ１７の回転力により搬送機構１６を駆動し、これにより、読取ユニット９をプラテンガラス１２下でＸ方向に搬送しつつ、プラテンガラス１２に伏せられた面を画像データに変換して読み取り、ＲＡＭ２３（図５）に記録する。
【００２９】
図３（ａ）は、ＭＦＰ１にトリミングコピー処理を実行させるための主要な操作手順を説明する図である。本実施形態では、ユーザ操作に基づいて設定された読取範囲内を読み取り、拡大または縮小して印刷出力する処理をトリミングコピー処理と称する。
【００３０】
図３（ａ）に示すように、トリミングコピー処理の操作手順は、主に、（１）原稿情報入力操作、（２）選択範囲指定操作、（３）出力範囲指定操作を含む。なお、図３（ａ）に示す各操作を行う前、ユーザは、読取対象面を表に向けて、すなわち、本実施形態のＭＦＰ１においては、読取対象面を上に向けて、原稿Ｐをプラテンガラス１２に載置する。そして、原稿カバー８を開状態としたまま、その読取対象面を見ながらタッチパネル１４，１５を操作することにより、図３（ａ）に示す各操作を行う。
【００３１】
以下の説明では、ユーザの指などの入力媒体１８をタッチパネル１４，１５に接触させつつずらす操作を、ドラッグ操作と称する。また、所定時間内にタッチパネル１４，１５上の同一位置に入力媒体１８を２回接触させる操作を、ダブルクリックと称する。なお、説明を分かりやすくするため、図３においては、タッチパネル１４，１５中、ドラッグ操作された範囲を黒で塗りつぶしている。
【００３２】
（１）原稿情報入力操作は、タッチパネル１４またはタッチパネル１５のいずれかにおいて、原稿Ｐの縁辺位置をダブルクリックする操作である。原稿情報入力操作がされたことに基づき、タッチパネル１４またはタッチパネル１５からＸ座標またはＹ座標が入力されると、ＭＦＰ１は、そのＸ座標またはＹ座標に基づき、原稿サイズと原稿の反転方向とを取得する。
【００３３】
具体的には、ＭＦＰ１は、原稿Ｐとして使用され得る複数種類の用紙サイズについて、その幅と高さとを予め記憶している。よって、タッチパネル１４またはタッチパネル１５から入力されたＸ座標またはＹ座標に最も近い幅または高さを有する用紙サイズを、プラテンガラス１２に載置された原稿サイズとして取得する。
【００３４】
また、原稿情報入力操作において、タッチパネル１４がダブルクリックされた場合、ＭＦＰ１は、Ｘ方向を反転方向として取得する。一方、タッチパネル１５がダブルクリックされた場合、ＭＦＰ１は、Ｙ方向を反転方向として取得する。反転方向とは、各操作の終了後、プラテンガラス１２において原稿Ｐを反転させる際に、ユーザがいずれの方向に原稿Ｐを反転させるのかを示す情報であるが、詳細は図４を参照して後述する。
【００３５】
（２）選択範囲指定操作は、表を向けて載置されている原稿Ｐの読取対象面中、コピーしたい選択範囲１９をタッチパネル１４，１５上においてドラッグ操作することである。ＭＦＰ１は、タッチパネル１４内がドラッグ操作されると、ドラッグ操作の始点のＸ座標とドラッグ操作の終点のＸ座標とを、選択範囲１９のＸ方向端を表すＸ座標として取得する。同様に、ＭＦＰ１は、タッチパネル１５内がドラッグ操作されると、ドラッグ操作の始点のＹ座標とドラッグ操作の終点のＹ座標とを、選択範囲１９のＹ方向端を表すＹ座標として取得する。そして、それら２点のＸ座標と２点のＹ座標とに基づき、矩形上の選択範囲１９の４つの頂点を示す座標情報（選択範囲を表す複数の座標情報の一例）を作成し、ＲＡＭ２３（図５）に格納する。
【００３６】
ユーザにとっては、原稿カバー８を開けた状態で読取対象面を見ながら選択範囲１９を指定できるので、範囲指定の作業が容易である。また、プラテンガラス１２に隣接したタッチパネル１４，１５上のドラッグ操作により選択範囲１９を設定するので、感覚的な操作が可能である。
【００３７】
なお、以下の説明において、選択範囲１９のＸ方向長はＡであり、Ｙ方向長はＢであるものとする
【００３８】
（３）出力範囲指定操作は、選択範囲１９内の画像のコピーを出力用紙に印刷出力する際に、出力画像を配置すべき出力範囲２０を指定するためのドラッグ操作である。上述したように、プラテンガラス１２はＡ３サイズの出力用紙よりもわずかに大きい。よって、出力範囲指定操作をするとき、ユーザは、プラテンガラス１２をＡ３サイズの出力用紙に見立てて、印刷結果を想像しつつ、出力範囲２０をドラッグ操作することができる。なお、この出力範囲指定操作は、Ｘ方向またはＹ方向のいずれか一方について行われれば良い。
【００３９】
ＭＦＰ１は出力画像の出力範囲２０と、選択範囲１９の大きさとを比較し、倍率を設定する。図３には、タッチパネル１４において、Ｘ方向長がａのドラッグ操作が行われた例を図示している。このような出力範囲指定操作が行われる場合、出力画像のＸ方向長はａであり、選択範囲１９のＸ方向長はＡであるため、ＭＦＰ１は、トリミングコピー処理に用いる倍率として（ａ／Ａ）を設定する。したがって、Ｙ方向については、出力範囲指定操作が行わなくても、出力範囲２０のＹ方向長ｂは、Ｂ×（ａ／Ａ）として算出することができる。
【００４０】
また、この出力範囲指定操作により、印刷オフセットも設定される。例えば、図３に示すように、基準点１３と、出力範囲指定操作の始点との間の距離が、ｘである場合、出力用紙に画像データを印刷出力する際のＸ方向のオフセットとしては、ｘが設定される。なお、Ｘ方向とＹ方向のいずれか一方について、出力範囲指定操作が行われると、他方については、出力範囲指定操作を行わなくても、印刷のオフセットを算出することができる。例えば、Ｘ方向の印刷オフセットがｘである場合、印刷オフセットの座標は基準点１３と選択範囲１９の座標（Ａ，Ｂ）を通る直線Ｌ上にあるので、印刷の際のＹ方向のオフセットｙは、Ｂ×（ｘ／Ａ）として算出できる。
【００４１】
このようにして、Ｘ方向とＹ方向とのいずれかにおいて出力範囲指定操作が行われることにより、印刷オフセットと出力範囲２０とが定まると、ＭＦＰ１は、これらに基づいて、出力用紙サイズを選択する。具体的には、Ｘ方向の必要長（ｘ＋ａ）がＡ４サイズのＸ方向長以下であり、且つ、Ｙ方向の必要長（ｙ＋ｂ）がＡ４サイズのＹ方向長以下である場合、ＭＦＰ１は、出力用紙サイズとして、Ａ４サイズを選択する。一方、Ｘ方向の必要長（ｘ＋ａ）がＡ４サイズのＸ方向長よりも大きい場合、または、Ｙ方向の必要長（ｙ＋ｂ）がＡ４サイズのＹ方向長よりも大きい場合、ＭＦＰ１は、出力用紙サイズとしてＡ３サイズを選択する。
【００４２】
これらの操作を終えた後、ユーザは、原稿Ｐを反転させて読取対象面をプラテンガラス１２に伏せ、図示しないスタートキーを押下することにより、トリミングコピー処理を開始させる。
【００４３】
図３（ｂ）は、図３（ａ）に示す操作手順の結果、出力用紙に出力される印刷結果のイメージ図である。図３（ｂ）に示すように、ＭＦＰ１は、トリミングコピー処理を実行することにより、選択範囲１９を拡大または縮小して、出力範囲２０に対応した位置に配置した印刷結果を出力することができる。
【００４４】
トリミングコピー処理によれば、選択範囲１９および出力範囲２０の設定後、原稿Ｐはプラテンガラス１２上にて反転される。よって、本実施形態のＭＦＰ１は、反転後の原稿Ｐの選択範囲１９が対向することになるプラテンガラス１２上の範囲を読取範囲１９ａとして決定する。そして、その読取範囲１９ａに写る画像（すなわち、読取範囲に対向する範囲の画像）を読み取って画像データを生成し、印刷出力する。
【００４５】
図４は、選択範囲１９と読取範囲１９ａとの関係を説明する図である。図４の上段は、読取対象面を表に向けた状態のイメージ図である。なお、読取対象面を表に向けた状態で設定された選択範囲１９のうち、最も基準点１３（原点）に近い頂点の座標情報は、（xi,yi）であり、選択範囲１９のＸ方向長がＡ、Ｙ方向長がＢであるものとする。また、Ｘ_Ａ４は、Ａ４サイズの原稿ＰのＸ方向長を表し、Ｙ_Ａ４は、Ａ４サイズの原稿ＰのＹ方向長を表している。
【００４６】
図４の下段は、プラテンガラス１２上にて原稿ＰをＹ方向に反転する場合、すなわち、原稿ＰのＹ方向両端がプラテンガラス１２上にて逆転するように、原稿Ｐを反転させる場合、選択範囲１９が対向することになるプラテンガラス１２上の読取範囲１９ａを図示している。なお、ＭＦＰ１は、読取対象面を表に向けて載置する場合、読取対象面を伏せて載置する場合のいずれにおいても、原稿Ｐの頂点を、基準点１３に合わせて載置するように、予め使用方法が定められているものとする。
【００４７】
ＭＦＰ１は、選択範囲１９を表す各頂点の座標情報を、反転方向と原稿サイズとに基づいて座標変換することにより読取範囲１９ａの４つの頂点を表す座標情報として取得する。
【００４８】
原稿ＰをＹ方向に反転する場合は、選択範囲１９の頂点の座標情報、例えば（xi,yi）を、座標変換により、読取範囲１９ａの頂点を表す座標情報（xi,Y_A4-yi）に変換する。同様に、原稿ＰをＸ方向に反転する場合、選択範囲１９の頂点の座標情報、例えば（xi,yi）を、座標変換により、読取範囲１９ａの頂点を表す（X_A4-xi,yi）に変換する。このような座標変換を、選択範囲１９の各頂点について行うことにより、読取範囲１９の各頂点の座標を算出することができる。
【００４９】
ＭＦＰ１によれば、選択範囲１９の座標情報、反転方向、原稿Ｐの原稿サイズに基づいて読取範囲１９ａの座標情報を算出するので、簡単かつ正確に読取範囲１９ａの座標情報を取得することができる。
【００５０】
したがって、ユーザが、原稿Ｐを正しく載置した状態で選択範囲１９を設定し、且つ、反転後においても原稿Ｐが正しく載置される場合には、プラテンガラス１２の読取範囲１９ａには、反転後の原稿Ｐの選択範囲１９が対向することとなる。
【００５１】
なお、図示は省略するが、ＭＦＰ１は、選択範囲１９と出力範囲２０との位置関係および倍率を用いて、読取範囲１９ａの画像データから出力データを生成する。
【００５２】
図５は、ＭＦＰ１の電気的構成を模式的に示したブロック図である。図５に示すように、ＭＦＰ１には、ＣＰＵ２１、ＲＯＭ２２、ＲＡＭ２３、フラッシュメモリ２４、タッチパネル１４，１５、プリンタ２、スキャナ３、ＮＣＵ２５、モデム２５ａが主に設けられている。ＣＰＵ２１、ＲＯＭ２２、ＲＡＭ２３、フラッシュメモリ２４は、バスライン２６を介して互いに接続されている。また、タッチパネル１４，１５、プリンタ２、スキャナ３、ＮＣＵ２５、モデム２５ａ、バスライン２６は、入出力ポート２７を介して互いに接続されている。
【００５３】
ＣＰＵ２１は、ＲＯＭ２２やＲＡＭ２３やフラッシュメモリ２４に記憶される固定値やプログラム或いは、ＮＣＵ２５を介して送受信される各種信号に従って、ＭＦＰ１が有している各機能の制御や、入出力ポート２７と接続された各部を制御するものである。
【００５４】
ＲＯＭ２２は、制御プログラム２２ａなどを格納した不揮発性メモリである。ＣＰＵ２１は、制御プログラム２２ａに従い、後述するコピー前操作受付処理（図６）およびトリミングコピー処理（図７）を実行する。
【００５５】
ＲＡＭ２３は、書換え可能な揮発性のメモリであり、トリミングコピー処理の実行に必要な各種変数および画像データなどを記憶するためのメモリが設けられている。
【００５６】
原稿サイズメモリ２３ａは、原稿情報入力操作に基づいて決定した原稿サイズを記憶する。原稿反転方向メモリ２３ｂは、原稿情報入力操作に基づいて決定した反転方向を記憶する。なお、本実施形態において、原稿反転方向メモリ２３ｂに記憶される反転方向は、Ｘ方向かＹ方向のいずれかであるものとする。
【００５７】
選択範囲メモリ２３ｃは、選択範囲指定操作に基づき指定された選択範囲１９の４つの頂点の座標情報を記憶する。出力範囲メモリ２３ｄは、出力範囲指定操作に基づき指定された出力範囲２０の座標情報を記憶する。
【００５８】
読取範囲メモリ２３ｅは、選択範囲メモリ２３ｃに記憶された選択範囲１９の座標情報を座標変換することにより取得された座標情報を、読取範囲１９ａの座標情報として記憶する。読取画像データメモリ２３ｆは、読取ユニット９によって読み取られた読取範囲１９ａの画像データを記憶する。出力画像データメモリ２４ｇは、読取範囲１９ａの画像データを拡大または縮小し、さらに、選択範囲１９と出力範囲２０の位置関係を元に、出力範囲２０に対応した範囲に画像を配置するための画像の移動処理を施した出力データを記憶する。
【００５９】
フラッシュメモリ２４は、書換可能な不揮発性のメモリである。ＮＣＵ２５は、電話回線の制御を行うものである。モデム２５ａは、ファクシミリ送信時には送信信号を電話回線での伝送に適した形態に変調し、一方、ファクシミリ受信時には電話回線から送られてきた変調信号を復調するものである。
【００６０】
図６は、ＭＦＰ１のＣＰＵ２１が実行するコピー前操作受付処理を示すフローチャートである。このコピー前操作受付処理は、図３（ａ）を参照して説明した、原稿情報入力操作、選択範囲指定操作、および出力範囲指定操作を受け付ける処理である。
【００６１】
まず、ＣＰＵ２１は、ステップＳ６０２（以下、ステップを省略する）において、入力媒体１８がタッチパネル１４，１５に触れたか否かを判断する（Ｓ６０２）。Ｓ６０２の判断が否定される場合（Ｓ６０２：Ｎｏ）、ＣＰＵ２１は処理を待機する。
【００６２】
一方、Ｓ６０２の判断が肯定される場合（Ｓ６０２：Ｙｅｓ）、次に、ＣＰＵ２１は、タッチパネル１４，１５から出力されるＸ座標またはＹ座標を取得する（Ｓ６０４）。そして、タッチパネル１４，１５上においてドラッグ操作が行われたか否かを判断する（Ｓ６０６）。Ｓ６０６の判断が肯定される場合（Ｓ６０６：Ｙｅｓ）、その操作は、選択範囲指定操作か出力範囲指定操作のいずれかであると判断できるので、次にＣＰＵ２１は、選択範囲１９は設定済みであるか否かを判断する（Ｓ６０８）。
【００６３】
Ｓ６０８の判断が否定される場合（Ｓ６０８：Ｎｏ）、すなわち、選択範囲１９が未設定である場合、ＣＰＵ２１は、取得した座標情報のうち、ドラッグ操作の始点と終点を表す座標情報を、選択範囲１９を表す座標情報として選択範囲メモリ２３ｃに記憶する（Ｓ６１０）。
【００６４】
次に、ＣＰＵ２１は、選択範囲、出力範囲、原稿サイズ、および反転方向は設定済みか否かを判断する（Ｓ６１４）。Ｓ６１４の判断が否定される場合（Ｓ６１４：Ｎｏ）、Ｓ６０２から処理を繰り返す。
【００６５】
このようにして処理を繰り返すうちに、Ｘ方向とＹ方向との両方において選択範囲指定操作が行われ、選択範囲１９が設定されると、Ｓ６０８の判断が肯定される（Ｓ６０８：Ｙｅｓ）。その場合、直前の行われたドラッグ操作は、出力範囲指定操作であると判断できるので、ＣＰＵ２１は、取得した座標情報のうち、ドラッグ操作の始点と終点を表す座標情報を、出力範囲２０を表す座標情報として決定し、出力範囲メモリ２３ｄに記憶する（Ｓ６１２）。そして、Ｓ６１４の判断に移行する。
【００６６】
なお、出力範囲指定操作は、Ｘ方向またはＹ方向のいずれか１方向について行われる。したがって、出力範囲メモリ２３ｄに記憶されるのは、出力範囲２０のＸ座標またはＹ座標のいずれかである。
【００６７】
一方、Ｓ６０６の判断が否定される場合（Ｓ６０６：Ｎｏ）、すなわち、タッチパネル１４，１５に対する入力媒体１８の接触を検出したが、ドラッグ操作ではない場合、次に、ＣＰＵ２１は、タッチパネル１４，１５上においてダブルクリックがされたか否かを判断する（Ｓ６１６）。すなわち、同じ座標が２回続けて検出されたか否かを判断する。
【００６８】
Ｓ６１６の判断が肯定される場合（Ｓ６１６：Ｙｅｓ）、その操作は、原稿情報入力操作であると判断できる。よって、ＣＰＵ２１は、その原稿情報入力操作に基づき決定される原稿サイズおよび反転方向を決定し、原稿サイズメモリ２３ａおよび原稿反転方向メモリ２３ｂに記憶し（Ｓ６１８）、Ｓ６１４の処理に移行する。なお、原稿サイズおよび反転方向の決定方法については、図３を参照して説明済みであるため、ここでは詳細な説明を省略する。
【００６９】
なお、タッチパネル１４，１５に対する入力媒体１８の接触を検出したが、その操作はドラッグ操作ではなく（Ｓ６０６：Ｎｏ）、ダブルクリックでもない場合（Ｓ６１６：Ｎｏ）、すなわち、タッチパネル１４，１５における入力媒体１８の操作に変化がない場合、ＣＰＵ２１は、Ｓ６０４で取得した座標情報を破棄する（Ｓ６２０）。
【００７０】
このようにすれば、操作の意図ではなく、入力媒体１８がタッチパネル１４，１５に触れた場合、例えば、原稿Ｐを押さえようとしたユーザの指が偶然にタッチパネル１４，１５に触れた場合、その座標情報を破棄することができる。その結果、誤った情報が入力されてしまうことを回避できる。
【００７１】
このようにして処理を繰り返すうちに、Ｓ６１４の判断が肯定されると（Ｓ６１４：Ｙｅｓ）、次に、ＣＰＵ２１は、原稿Ｐの反転を促す表示を、ＬＣＤ４１に表示出力し（Ｓ６２２）、処理を終了する。
【００７２】
図６を参照して説明したコピー前操作受付処理の終了後、ユーザは、プラテンガラス１２上において原稿Ｐを反転させて読取対象面をプラテンガラス１２に伏せ、原稿カバー８を閉じた上で、図示しないスタートキーを押下する。ユーザによりスタートキーが押下されると、ＣＰＵ２１は、図７に示すトリミングコピー処理を実行する。
【００７３】
図７は、トリミングコピー処理を示すフローチャートである。トリミングコピー処理は、原稿Ｐを反転させる場合に選択範囲１９が対向することになるプラテンガラス１２上の読取範囲１９ａを決定すると共に、読取範囲１９ａに対向する読取対象面の範囲を読み取り、拡大又は縮小等の画像処理を施して、出力用紙に印刷出力する処理である。
【００７４】
まず、ＣＰＵ２１は、原稿サイズメモリ２３ａから原稿サイズを取得し（Ｓ７０２）、原稿反転方向メモリ２３ｂから反転方向を取得する（Ｓ７０４）。次に、ＣＰＵ２１は、選択範囲メモリ２３ｃから選択範囲１９を表す複数の座標情報を取得し（Ｓ７０６）、出力範囲メモリ２３ｄから出力範囲２０を表す座標情報を取得する（Ｓ７０８）。
【００７５】
次に、ＣＰＵ２１は、選択範囲１９の座標情報と出力範囲２０の座標情報とに基づき、拡大または縮小の倍率を決定する（Ｓ７１０）。次に、ＣＰＵ２１は、この倍率に基づき、出力範囲２０の４つの頂点の座標情報を算出し（Ｓ７１２）、出力用紙のサイズを決定する（Ｓ７１４）。なお、倍率、出力範囲２０の頂点の座標情報、出力用紙サイズの決定方法については、図３を参照して説明済みであるため、ここでは詳細な説明を省略する。
【００７６】
次に、ＣＰＵ２１は、選択範囲１９の複数の頂点の座標情報を、原稿サイズと反転方向に基づき座標変換する（Ｓ７１６）。この座標変換により取得できる座標情報は、読取範囲１９ａの複数の頂点の座標情報である。
【００７７】
次に、ＣＰＵ２１は、プラテンガラス１２に伏せられた読取対象面のうち、読取範囲１９ａに対向する範囲を読み取り、その画像データを生成する（Ｓ７２０）。生成した画像データは、読取画像データメモリ２３ｆに記憶される。次に、ＣＰＵ２１は、生成した画像データを、読取画像データメモリ２３ｆから読み出し、Ｓ７１０で決定した倍率で拡大または縮小し、さらに、出力範囲２０に対応した範囲に画像を配置するための画像の移動処理を施し、出力データを生成する（Ｓ７２２）。生成した出力データは、出力画像データメモリ２３ｇに記憶する。そして、ＣＰＵ２１は、出力画像データメモリ２３ｇに記憶した出力データをプリンタ２に出力し、印刷出力させる（Ｓ７２４）。
【００７８】
第１実施形態のＭＦＰ１によれば、プレビュー画像を作成しなくても、ユーザは読取対象面を見ながら選択範囲１９を設定でき、範囲指定の作業が容易である。
【００７９】
図８を参照して本発明の第２実施形態のＭＦＰ１について説明する。上述した第１実施形態のＭＦＰ１においては、プラテンガラス１２外にタッチパネル１４，１５が配置されていた。第２実施形態においては、タッチパネル１４，１５に代えて、プラテンガラス１２の上面の略全面を覆うタッチパネル３０が設けられている。なお、タッチパネル１４，１５に代えてタッチパネル３０が設けられている点を除き、第２実施形態のＭＦＰ１の外観および電気的構成を示すブロック図は、第１実施形態のＭＦＰ１と同様である。よって、第２実施形態のＭＦＰ１において、第１実施形態のＭＦＰ１と同様の構成については、同じ符号を付して説明を省略する。
【００８０】
図８（ａ）は、第２実施形態のＭＦＰ１におけるトリミングコピー処理のための操作手順を説明する図である。タッチパネル３０は、入力媒体１８が接触すると、入力媒体１８の接触位置を表す座標情報を出力する。この座標情報は、基準点１３を原点とした場合のＸ方向位置およびＹ方向位置を表す座標情報である。
【００８１】
第２実施形態のＭＦＰ１において、原稿情報入力操作は、原稿Ｐの縁辺上の同じ位置において行う２回のドラッグ操作である。第１実施形態と同様、ＭＦＰ１は、原稿情報入力操作に基づき、原稿サイズと反転方向とを取得する。
【００８２】
また、第２実施形態のＭＦＰ１において、選択範囲指定操作は、選択範囲３１として指定したい範囲を囲むようにタッチパネル３０上をドラッグ操作することである。選択範囲指定操作が行われた場合、第２実施形態のＭＦＰ１は、選択範囲指定操作により指定される全ての位置を含む選択範囲３１を設定し、その選択範囲３１を表す４点の座標情報を取得する。
【００８３】
なお、本第２実施形態のＭＦＰ１は、選択範囲指定操作を終えると、ユーザが図示しない決定キーを押下することにより、選択範囲指定操作の終了を、ＭＦＰ１に入力できるように構成されている。
【００８４】
また、第２実施形態のＭＦＰ１において、出力範囲指定操作は、選択範囲指定操作の終了後、出力範囲３２として指定したい範囲を囲むようにタッチパネル３０上をドラッグ操作することである。出力範囲指定操作が行われた場合、第２実施形態のＭＦＰ１は、出力範囲指定操作により指定される全ての位置を含む出力範囲３２を設定し、その出力範囲３２を表す４点の座標情報を取得する。
【００８５】
なお、本第２実施形態では、選択範囲３１と出力範囲３２とを矩形状に設定するものとして説明するが、これらを５角形以上の多角形、あるいは三角形として設定するように、ＦＭＰ１を構成しても良い。
【００８６】
また、本第２実施形態のＭＦＰ１においては、選択範囲指定操作が複数回行われた場合、その複数回の選択範囲指定操作により指定される原稿Ｐ内の位置の全てを含む範囲を、選択範囲３１として設定するものとする。
【００８７】
図８（ｂ）は、選択範囲指定操作が複数回行われた場合に設定される選択範囲３１の例を示す図である。第２実施形態のＭＦＰ１によれば、図８（ｂ）に示すように選択範囲３１を設定するので、選択範囲指定操作が複数回行われた場合であっても、適切な選択範囲３１を設定できる。なお、出力範囲指定操作が複数回行われた場合も同様に、その複数回の出力範囲指定操作により指定される位置の全てを含む範囲を、出力範囲３２として設定するように構成しても良い。
【００８８】
図９は、第２実施形態のＭＦＰ１のＣＰＵ２１が実行するコピー前操作受付処理を示すフローチャートである。このコピー前操作受付処理中、図６を参照して説明した第１実施形態のコピー前操作受付処理と同一のステップについては、同一の符号を付して説明を省略する。
【００８９】
図９に示すように、第２実施形態のコピー前操作受付処理においては、タッチパネル３０により操作を検出した場合、その操作がドラッグ操作であるか否かを判断する（Ｓ６０６）。そして、その操作がドラッグ操作ではない場合（Ｓ６０６：Ｎｏ）、ＣＰＵ２１は、取得した座標情報を破棄し（Ｓ９０２）、Ｓ６１４の処理に移行する。第２実施形態のＭＦＰ１においては、タッチパネル３０が全面に配設されているので、例えば、ドラッグ操作中に原稿Ｐが動かないよう、ユーザが原稿Ｐを押さえると、タッチパネル３０に触れることとなるが、第２実施形態のコピー前受付処理によれば、そのような接触に基づく座標情報を破棄できる。
【００９０】
Ｓ６０６の判断が肯定される場合（Ｓ６０６：Ｙｅｓ）、すなわち、ドラッグ操作が行われた場合、次に、ＣＰＵ２１は、同じ位置が２回ドラッグ操作されたか否かを判断する（Ｓ９０４）。Ｓ９０４の判断が肯定される場合（Ｓ９０４：Ｙｅｓ）、ＣＰＵ２１は、その操作を、原稿情報入力操作であると判断し、原稿サイズおよび反転方向を決定して、原稿サイズメモリ２３ａおよび原稿反転方向メモリ２３ｂに記憶し（Ｓ９０６）、Ｓ６１４の処理に移行する。なお、第２実施形態のＭＦＰ１も、第１実施形態のＭＦＰ１と同様に、原稿情報入力操作が行われた位置に最も近い幅または高さを有する記録用紙のサイズを、原稿サイズとして取得する。また、原稿情報入力操作が、原稿ＰのＸ方向縁辺において行われた場合は、Ｘ方向を反転方向として決定し、原稿ＰのＹ方向縁辺において行われた場合は、Ｙ方向を反転方向として決定する。
【００９１】
一方、Ｓ９０４の判断が否定される場合（Ｓ９０４：Ｎｏ）、すなわち、同じ位置が２回ドラッグ操作されなかった場合、ＣＰＵ２１は、選択範囲指定操作は終了しているか否かを判断する（Ｓ９０８）。Ｓ９０８の判断が否定される場合（Ｓ９０８：Ｎｏ）、ＣＰＵ２１は、取得した座標情報に基づき、選択範囲３１を表す４点の座標情報を取得し、選択範囲メモリ２３ｃに記憶する（Ｓ９１０）。そして、Ｓ６１４に移行する。なお、選択範囲指定操作が複数回行われる場合、ＣＰＵ２１は、その複数回の選択範囲指定操作において入力媒体１８が接触した位置全てを含む選択範囲３１を設定する。
【００９２】
一方、Ｓ９０８の判断が肯定される場合（Ｓ９０８：Ｙｅｓ）、ＣＰＵ２１は、取得した座標情報に基づき、出力範囲３２を表す４点の座標情報を取得し、出力範囲メモリ２３ｄに記憶する（Ｓ９１２）。そして、Ｓ６１４に移行する。
【００９３】
図１０は、第２実施形態のＭＦＰ１のＣＰＵ２１が実行するトリミングコピー処理を示すフローチャートである。このトリミングコピー処理中、図７を参照して説明した第１実施形態のトリミングコピー処理と同一のステップについては、同一の符号を付して説明を省略する。
【００９４】
図１０に示すように、第２実施形態のトリミングコピー処理では、ＣＰＵ２１は、選択範囲３１の重心を決定する（Ｓ１００２）。なお、本第２実施形態では、選択範囲３１は矩形である。よって、選択範囲３１の４頂点のＸ座標を加算して４で割った値が、選択範囲３１の重心のＸ座標であり、選択範囲３１の４頂点のＹ座標を加算して４で割った値が、選択範囲３１の重心のＹ座標である。次に、ＣＰＵ２１は、出力範囲３２の重心を決定する（Ｓ１００４）。出力範囲３２の重心は、選択範囲３１の重心と同様に求めることができる。
【００９５】
次に、ＣＰＵ２１は、重心位置を基準として、選択範囲３１の縦横比と、出力範囲３２の縦横比が一致するように、出力範囲３２を再設定する（Ｓ１００６）。具体的には、図１０に図示した模式図のように、出力範囲３２と同じ重心位置を有し選択範囲３１と縦横比が等しい四角形を求め、その四角形中、最大の四角形を、出力範囲３２として再設定する。よって、選択範囲３１と出力範囲３２との縦横比をユーザ自身が考慮する必要はなく、ユーザの操作が容易である。
なお、第２実施形態のトリミングコピー処理においては、ＣＰＵ２１は、選択範囲３１と、再設定後の出力範囲３２との比率に基づき、倍率を決定する（Ｓ７１０）。
【００９６】
次に、ＣＰＵ２１は、選択範囲３１が、原稿サイズ以上であるか否かを判断する（Ｓ１００８）。Ｓ１００８の判断が否定される場合（Ｓ１００８：Ｎｏ）、ＣＰＵ２１は、第１実施形態と同様に、選択範囲３１の座標情報を座標変換することにより、読取範囲の座標情報を取得する（Ｓ７１６）。
【００９７】
一方、Ｓ１００８の判断が肯定される場合（Ｓ１００８：Ｙｅｓ）、ＣＰＵ２１は、プラテンガラス１２上における原稿Ｐの載置範囲を、読取範囲の座標情報として設定する（Ｓ１０１０）。すなわち、プラテンガラス１２上にて、原稿Ｐよりも大きい範囲が、選択範囲３１として範囲指定された場合は、座標変換を行わない。よって、演算処理の負担を軽減することができる。
【００９８】
第２実施形態のＭＦＰ１によれば、第１実施形態のＭＦＰ１と同様に、プレビュー画像を作成しなくても、ユーザは読取対象面を見ながら選択範囲３１を設定できる。
【００９９】
上記実施形態において、ＭＦＰ１が読取装置の一例に相当し、原稿カバー８がカバーの一例に相当し、プラテンガラス１２が載置面の一例に相当し、選択範囲指定操作が範囲指定操作の一例に相当し、タッチパネル１４，１５，３０がタッチパネルの一例に相当する。また、Ｓ６０４を実行するＣＰＵ２１が座標情報取得手段の一例に相当し、Ｓ６１０，Ｓ９１０を実行するＣＰＵ２１が選択範囲設定手段の一例に相当し、Ｓ６１２，Ｓ９１２を実行するＣＰＵ２１が出力範囲決定手段の一例に相当し、Ｓ７０２を実行するＣＰＵ２１がサイズ取得手段の一例に相当し、Ｓ７０４を実行するＣＰＵ２１が方向取得手段の一例に相当し、Ｓ７１０を実行するＣＰＵ２１が倍率設定手段の一例に相当し、Ｓ７１６を実行するＣＰＵ２１が読取範囲決定手段の一例に相当し、Ｓ７２０を実行するＣＰＵ２１が部分画像データ生成手段の一例に相当し、Ｓ７２２，Ｓ７２４を実行するＣＰＵ２１が印刷手段の一例に相当し、Ｓ６２０，Ｓ９０２を実行するＣＰＵ２１が破棄手段の一例に相当する。
【０１００】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１０１】
例えば、上記実施形態においては、原稿情報入力操作に基づき、原稿サイズおよび原稿の反転方向を取得していたが、原稿サイズおよび原稿の反転方向は、例えば、操作キー４０などのユーザインターフェイスからユーザが入力しても良い。さらに、原稿サイズおよび原稿の反転方向が、ＭＦＰ１の使用方法として予め固定されている場合には、原稿サイズおよび原稿の反転方向を入力するための操作を省いても良い。
また、上記第１実施形態においては、ドラッグ操作により選択範囲指定操作を行うものとしたが、選択範囲指定操作の具体例はこれに限られず、他の様々な操作態様を適用可能である。例えば、選択範囲１９のＸ方向両端位置を表すタッチパネル１４上の２点に触れる操作、および選択範囲１９のＹ方向両端を表すタッチパネル１５上の２点に触れる操作を、選択範囲指定操作としても良い。出力範囲指定操作についても同様に、ドラッグ操作に限られるものではなく、他の様々な操作態様を適用可能である。
【符号の説明】
【０１０２】
１                  ＭＦＰ（読取装置の一例）
８                  原稿カバー（カバーの一例）
１２                プラテンガラス（載置面の一例）
１４，１５，３０    タッチパネル
【図１】
2011160202.tif 000003
【図２】
2011160202.tif 000004
【図３】
2011160202.tif 000005
【図４】
2011160202.tif 000006
【図５】
2011160202.tif 000007
【図６】
2011160202.tif 000008
【図７】
2011160202.tif 000009
【図８】
2011160202.tif 000010
【図９】
2011160202.tif 000011
【図１０】
2011160202.tif 000012